(57)【要約】      （修正有）【課題】柔軟性があって施工性に富み、屋根構造の軽量化に寄与する屋根葺き用防火防水シートを提供する。【解決手段】屋根葺き用防火防水シート１は、難燃剤を添加配合した塩化ビニル系の防水シート材料２で芯材３（ガラスクロス材又は金属クロス）を挟んで加熱圧着し、防水シート材料２の表面５側に不燃性、防錆性のある金属粒子４を溶射し、防水シートの耐火性を向上させたものである。【選択図】図１
0003145081.tif 000002
【実用新案登録請求の範囲】
【請求項１】
屋根葺き用防水シートにおいて、
耐火性の芯材の表裏両面が難燃剤添加配合の塩化ビニル系の防水シート材料で被覆され、前記芯材と前記防水シート材料とがシート状又は板状に加熱圧着され、
前記芯材を被覆する前記防水シート材料の表面に、不燃性又は、不燃性及び防錆性のある金属粒子を溶射したことを特徴とする屋根葺き用防火防水シート。
【請求項２】
請求項１に記載の屋根葺き用防火防水シートにおいて、
塩化ビニル系の防水シート材料に添加配合する難燃剤が炭酸カルシウム又は三酸化アンチモンであることを特徴とする屋根葺き用防火防水シート。
【請求項３】
請求項１又は請求項２記載の屋根葺き用防火防水シートにおいて、
溶射する不燃性又は、不燃性及び防錆性のある金属粒子が、不燃アルミニウムと亜鉛の合金、又はアルミニウムであることを特徴とする屋根葺き用防火防水シート。
【請求項４】
請求項１乃至請求項３いずれかに記載の屋根葺き用防火防水シートにおいて、
前記屋根葺き用防火防水シートの表面又は、表面及び裏面の周縁に不燃性又は、不燃性及び防錆性のある金属粒子を溶射しない継ぎ手しろを設けたことを特徴とする屋根葺き用防火防水シート。
【請求項５】
請求項１乃至請求項４いずれかに記載の屋根葺き用防火防水シートにおいて、
屋根葺き用防火防水シートの表面に模様又は／及び滑り止め加工が施されたことを特徴とする屋根葺き用防火防水シート。
【考案の詳細な説明】
【技術分野】
【０００１】
本願考案は、建築物の屋根、特に勾配屋根に葺かれる防火防水シートに関するものである。
【背景技術】
【０００２】
一般家屋の勾配屋根は、通常、粘土瓦、スレート瓦、カラー鉄板などで屋根葺きされており、一部寒冷地域ではアスファルトルーフィングや合成高分子ルーフィングも用いられている。これら屋根葺き材の下には防水シートなどの防水材を施すことが一般的であるが、昨今では、屋根の軽量化、耐寒性、に対する要請、とりわけ延焼防止などの理由から屋根の耐火性能に対する要請が高まっていることもあり、合成樹脂発泡形成体を用いた断熱材の上に塩化ビニル樹脂製の防水シートを固定する屋根葺き工法なども提案されている。
【考案の開示】
【考案が解決しようとする課題】
【０００３】
このように、屋根の防火方法や防水方法についてはいくつか提案があるものの、粘土瓦、スレート瓦、カラー鉄板など屋根材そのものに代わる提案は少なく、屋根材の自重が比較的重いために家全体の耐震性に影響を及ぼすこと、台風などの強風により飛散すること、など種々の問題は解決されなかった。
本願考案の課題は、これら諸問題を解決すると共に防火性、防水性に優れた屋根葺き用防火防水シートを実現することにある。
【課題を解決するための手段】
【０００４】
本願考案は、防水シートに防火性を付加した屋根葺き用防火防水シートであって、柔軟性や施工性に富み、従来の屋根構造よりも軽量化できるものを提供するものである。
【０００５】
本願考案の屋根葺き用防火防水シートは、請求項１記載のように、屋根葺き用防水シートにおいて、耐火性の芯材の表裏両面が、難燃剤添加配合の塩化ビニル系の防水シート材料で被覆され、前記芯材と前記防水シート材料とがシート状又は板状に加熱圧着され、前記芯材を被覆する前記防水シート材料の表面に、不燃性又は、不燃性及び防錆性のある金属粒子を溶射したものである。請求項２記載のように、前記屋根葺き用防火防水シートにおいて、塩化ビニル系の防水シート材料に添加配合する難燃剤を炭酸カルシウム又は三酸化アンチモンとすることができる。また請求項３記載のように、溶射する不燃性又は、不燃性及び防錆性のある金属粒子を不燃アルミニウムと亜鉛の合金、又はアルミニウムとすることができる。
【０００６】
本願考案の屋根葺き用防火防水シートは、請求項４記載のように、前記屋根葺き用防火防水シートの表面又は、表面及び裏面の周縁に不燃性又は、不燃性及び防錆性のある金属粒子を溶射しない継ぎ手しろを設けることが可能であり、さらに、屋根葺き用防火防水シートの表面に模様や滑り止め加工を施すこともできる。
【考案の効果】
【０００７】
本願考案の屋根葺き用防火防水シートは、次の効果がある。
（１）芯材の表裏両面が難燃剤添加配合の塩化ビニル系の防水シート材料で被覆されているため防水機能がある。
（２）防水シート材料の表面に不燃性の金属溶射を施し、防水シート材料自身にも難燃剤を添加配合してあるため、屋根の防火試験としてＪＩＳ等で行われている「飛び火試験」には全く問題なく、もちろん着火、延焼、変形もなく、２０分以内であれば直接火炎があたっても着火しない耐火材に近いものであり、防火機能に優れる。
（３）塩化ビニル系の防水シート材料で被覆されているため、長時間にわたって高温火炎に触れると塩素系の消火ガスが発生して屋根下地材の延焼を抑制することができる。
（４）粘土瓦などの屋根材は自重が比較的重く家全体の耐震性に影響を与えるため耐震性に問題があるが、本願考案の屋根葺き用防火防水シートは軽量（粘土瓦の約１／２０〜１／１５、スレート瓦の約１／１０、カラー鉄板の約１／２）であることから、これを用いると屋根全体としても軽量化され耐震性に優れる。
（５）粘土瓦、スレート瓦やカラー鉄板などは、寒冷地方での凍結融解による防水性の問題がある。一方、本願考案の屋根葺き用防火防水シートには重ね継ぎ手しろがあり、その部分は金属溶射されずに塩化ビニル系シートが表面に露出しているため防火防水シートどうしの固定（連結）はこの継ぎ手しろを重ねた面溶接が可能で、確実に接合され屋根全体としてもより防水性・耐候性の高い耐久性あるものとできる。
（６）また、本願考案の屋根葺き用防火防水シートの場合、例えば塩化ビニル鋼板などの屋根下地材への固定は、防火防水シートの裏側をこの下地材に面溶接することで行い、接着部分が密着して確実に固定されるため、屋根全体としてもより防水性・耐候性の高い耐久性あるものとなる。またこの場合、防火防水シートの端部を屋根下地の裏側に巻き込んで、同じく面溶接により固定することも可能で、より一層防水性が高まる。
（７）粘土瓦、スレート瓦やカラー鉄板などは、台風などの強風による飛来の問題がある。一方、本願考案の屋根葺き用防火防水シートの場合、上記のとおり、接合部は面溶接のため隙間がなく接合され、また温度変化や水浸漬などに対しても半永久的にこの接合が持続し、屋根下地材にも確実に固定できるので、台風など強風の影響をうけにくい。
（８）そのほかカラー鉄板は、塩害による錆びの問題、風雨時の騒音の問題があるが、本願考案の屋根葺き用防火防水シートは錆びに強く、風雨時の音も比較的小さい。
（９）薄肉のシート形状又は板状であるため軽量であり、かつ柔軟性もあるので施工性に富む。
（１０）シート材料に伸び特性のある塩化ビニル樹脂を使用し、薄いシート状あるいは板状にしてあるので、屋根下地材の動きにも追随し易く、屋根葺き作業が容易になる。
（１１）例えば凸凹仕上げ等を施すことが可能で、シート上に乗って施工する作業員の安全に寄与することができる。
（１２）表面を各種柄や色彩の模様で飾って個性的な意匠とすることができるので、葺いたときに屋根が変化に富んだものとなる。
（１３）さらに、耐火遮炎層などの中間層を必要とする３層構造に比べると、従来どおり断熱材と防水シートの２層構造とすることが可能であるため、この点でも、材料費、施工費ともに経済的であり、軽量であって地震による影響が軽減できる。
【考案を実施するための最良の形態】
【０００８】
本願考案の屋根葺き用防火防水シートの実施形態の一例を図１〜図３に基づいて説明する。図１に示すように、本願考案の屋根葺き用防火防水シート１は、厚さ１．２〜３．０ｍｍ、幅（短手方向の長さ）６００〜１３００ｍｍの板状又はシート状の形状を呈しており、長手方向はロール状に巻かれるなど短手方向に比して長いものにすることができる。なお、屋根葺き用防火防水シート１の厚さが１．２ｍｍ未満の場合、シートの強度不足のため耐久性に問題が残る。例えば、屋根下地コンクリートの打ち継ぎ目や亀裂の影響を受けて、又は屋根下地材としてのＡＬＣ版や鉄板などの継ぎ目の影響を受けて、屋根葺き用防火防水シート１が破損する恐れがある。また、屋根葺き用防火防水シート１の厚さが３．０ｍｍを超える場合、屋根葺き用防火防水シート１の継ぎ手部分が三枚重ねとなる個所は隙間を生じやすく、すなわち水密性が悪くなり、結果的に屋根全体の防水性が劣るという課題がある。
【０００９】
本願考案の屋根葺き用防火防水シート１は、図１に示すように、塩化ビニル系の防水シート材料２の肉厚方向略中間部に、耐火性の芯材３が積層配置されている。
【００１０】
塩化ビニル系の防水シート材料２は、塩化ビニル樹脂系の材料に難燃剤を添加配合して作られたものである。この配合は例えば、塩化ビニル樹脂系の材料（通常の可塑剤、安定剤、顔料を含む）１００重量部、炭酸カルシウム４０〜２５０重量部、三酸化アンチモン５〜１０重量部とすることができる。
【００１１】
板状又はシート状の防水シート材料２の表面には、不燃性又は、不燃性及び防錆性のある金属粒子４が溶射され、これにより防水シートの表面にこの金属粒子４が溶沈（溶け込む）される。この金属溶射方法は低温溶射でも高温溶射でも可能であり、溶射する金属粒子４に不燃アルミニウムと亜鉛の合金、又はアルミニウムを用いると軽量化を図ることができる。
【００１２】
芯材３は屋根葺き用防火防水シート１全体の強度を高めるためのもので、高熱による盛り上がりなどの変形を防ぐことができる。芯材には、変形に対抗しうる強度を有する材料であるガラスクロス又は金属クロスを用いることが望ましいが、これに代えてガラス不織布などを用いることもできる。
【００１３】
本願考案の屋根葺き用防火防水シート１は、２層の塩化ビニル系の防水シート材料２の間に芯材３を挟んで加熱圧着（ロールプレス等）し、板状又はシート状に加工される。このようにして成形された屋根葺き用防火防水シート１は肉薄・軽量で、柔軟性があり、持ち運びや固定作業などの施工が容易な製品となる。
【００１４】
図２に示すように、金属粒子４の溶射は、屋根葺き用防火防水シート１の外側表面５のほぼ全体に施されるが、屋根葺き用防火防水シート１どうしの接合部分である重ね継ぎ手しろ６にはこれを溶射しない。重ね継ぎ手しろ６は、図２のように屋根葺き用防火防水シート１の長尺辺１ａとそれに連続する短尺辺１ｂに形成されており、その幅はＷ＝４０〜１００ｍｍとしてある。
【００１５】
屋根葺き用防火防水シート１の外側表面５であって、重ね継ぎ手しろ６を除いた部分には模様が施されている。図２の模様７は横長板（スレート瓦）を千鳥配列に葺いたような形状の模様にしてあるが、模様はそれ以外の幾何学的模様、図案、図形といった各種模様とすることができる。型付けや印刷により種々の模様７を付することが可能で、各種柄や色彩で飾って個性的な意匠とすることができる。
【００１６】
屋根葺き用防火防水シート１の表面（屋根に葺いたときの上面）には滑り止め加工、例えば凸凹仕上げ等を施すことが可能で、シート上に乗って施工する作業員の滑落防止など安全に寄与することができる。
【００１７】
本願考案の屋根葺き用防火防水シート１を実際の屋根下地８の上に葺いた例を図３に基づいて説明する。屋根葺き用防火防水シート１は所定寸法の板状又はシート状の場合はそのまま、ロール状にまかれている長尺の場合は必要寸法に切断して使用する。この場合例えば、図３（ａ）のように、塩化ビニル鋼板（鋼板の両面又は片面に塩化ビニル樹脂を塗装又は被覆した鋼板）などの屋根下地８に、屋根葺き用防火防水シート１の周縁を屋根下地８の端に揃えてこれを載せ、屋根葺き用防火防水シート１の裏側面（屋根に葺いたときの下面となる面）の裏側周縁部分９に面溶接（熱溶接又は液溶接）を施し、さらに裏側面のうち前記裏側周縁部分９以外である裏側中央部分１０の範囲に接着剤を塗布して固定する。なおこの場合、前記裏側中央部分１０全体に接着剤を塗布する全体接着と、前記裏側中央部分１０の部分的に接着剤を塗布する部分接着とを選択することができる。
屋根葺き用防火防水シート１どうしは、重ね継ぎ手しろ６（W＝４０〜１００ｍｍ）を重ねて敷き並べ、この重ね継ぎ手しろ６部分に面溶接（熱溶接又は液溶接）を施して接合する。
また、図３（ｂ）（ｃ）のように、屋根葺き用防火防水シート１の周縁を塩化ビニル鋼板などの屋根下地８の裏側まで巻き込んで、防水シート１の裏側周縁部分９に面溶接（熱溶接又は液溶接）を施して屋根下地８に固定することもできる。この場合、より一層防水性が高まる。
このように、屋根葺き用防火防水シートの裏面は塩化ビニル樹脂系であり、下地材も塩化ビニル樹脂系である場合には両者を熱溶接により確実に接合、固定できるので、焼瓦やスレート瓦などの屋根葺き構造に比して台風や突風で飛ばされにくい、といった効果もある。
【００１８】
本願考案の屋根葺き用防火防水シート１の外側表面５（屋根に葺いたときの上面となる面）のうち、重ね継ぎ手しろ６以外の部分には、溶射された金属粒子４と模様７が見られる（露出する）。
【産業上の利用可能性】
【００１９】
本願考案の屋根葺き用防火防水シートは、一般家屋や木質住宅にも最適であり、事務所、倉庫又は工場などの建築物の屋根にも利用できるほか、防水機能及び防火機能を併せて必要とするあらゆる場所で利用することができる。例えば、ごみ焼却場や製鉄所など火炎を利用する場所で、飛び火を防ぎたい保護物に本願考案の屋根葺き用防火防水シートを掛けるなど、種々の場所で、種々の利用方法がある。
【図面の簡単な説明】
【００２０】
【図１】本願考案の屋根葺き用防火防水シートの実施形態の一例を示す斜視図
【図２】本願考案の屋根葺き用防火防水シートの実施形態の一例を示す全体図
【図３】（ａ）は、本願考案の屋根葺き用防火防水シートを屋根下地の表面に固定した場合の実施形態の一例を示す説明図  （ｂ）は、本願考案の屋根葺き用防火防水シートを屋根下地の裏側に巻き込んで固定した場合の実施形態の一例を示す説明図  （ｃ）は、（ｂ）に示す矢視から見た断面図
【符号の説明】
【００２１】
１    屋根葺き用防火防水シート
２    防水シート材料
３    芯材
４    金属粒子
５    外側表面
６    重ね継ぎ手しろ
７    模様
８    屋根下地
９    裏側周縁部分
１０  裏側中央部分
１ａ  屋根葺き用防火防水シート１の長尺辺
１ｂ  屋根葺き用防火防水シート１の短尺辺
【図１】
0003145081.tif 000003
【図２】
0003145081.tif 000004
【図３】
0003145081.tif 000005